(57)【要約】【課題】遮音性能を維持しながら、壁の強度を高くすることができる、千鳥間柱の間仕切り壁の構造を提供する。【解決手段】一方の壁用面材３が接合されている間柱１と、もう一方の壁用面材３が接合されている間柱１とが、高さ方向の中間部において、防振兼用連結手段５…で連結されている。防振兼用連結手段５で間柱１，１を連結した系の共振周波数は、防振兼用連結手段を省略した場合の千鳥間柱間仕切り壁の共振周波数よりも低く設定されているのがよい。【選択図】      図１
2005105634.tif 000002
【特許請求の範囲】
【請求項１】
一方の壁用面材が接合されている間柱と、もう一方の壁用面材が接合されている間柱とが、高さ方向の中間部において、防振兼用連結手段で連結されていることを特徴とする千鳥間柱の間仕切り壁の構造。
【請求項２】
前記防振兼用連結手段で間柱を連結した系の共振周波数が、前記防振兼用連結手段を省略した場合の千鳥間柱間仕切り壁の共振周波数よりも低く設定されている請求項１に記載の千鳥間柱の間仕切り壁の構造。
【発明の詳細な説明】
【技術分野】
【０００１】
本発明は、千鳥間柱の間仕切り壁の構造に関する。
【背景技術】
【０００２】
図５（イ）（ロ）に示すように、複数本の間柱５１…が千鳥に配置されて備えられた間仕切り壁パネル５２を用い、該間仕切り壁パネル５２の表裏両面に石膏ボードなどの壁用面材５３，５３を取り付け、各間柱５１…がいずれか一方の壁用面材５３に下地となって接合され、もう一方の壁用面材５３とは非接触状態となるようにして、壁の遮音性を高めるようにした千鳥間柱の遮音間仕切り壁５４は、従来より提供されている。
【発明の開示】
【発明が解決しようとする課題】
【０００３】
しかしながら、間柱５１…を上記のように千鳥状に配置すると、各間柱５１…の断面が小さくなり、また、各間柱５１…が一方の壁用面材５３にしか接合されていないため、間仕切り壁５４の強度が落ち、図５（ハ）に示すように、間柱５１が反って壁５４の通りを悪くするなどの問題を生じさせやすくなる。
【０００４】
本発明は、上記のような問題点に鑑み、遮音性能を維持しながら、壁の強度を高くすることができる、千鳥間柱の間仕切り壁の構造を提供することを課題とする。
【課題を解決するための手段】
【０００５】
上記の課題は、一方の壁用面材が接合されている間柱と、もう一方の壁用面材が接合されている間柱とが、高さ方向の中間部において、防振兼用連結手段で連結されていることを特徴とする千鳥間柱の間仕切り壁の構造によって解決される。
【０００６】
この構造では、一方の壁用面材が接合されている間柱と、もう一方の壁用面材が接合されている間柱とが高さ方向の中間部で連結されているので、その連結作用によって壁の強度が高められ、間柱が反って壁の通りを悪くするなどの問題を解消することができる。
【０００７】
しかも、連結は、防振兼用連結手段で行われているので、その防振作用によって、一方の室からもう一方の室への連結手段を通じた音等の振動の伝播を抑制することができ、千鳥間柱の間仕切り壁が本来備えている遮音性能を大きく損なわせることがない。
【０００８】
特に、前記防振兼用連結手段で間柱を連結した系の共振周波数が、前記防振兼用連結手段を省略した場合の千鳥間柱間仕切り壁の共振周波数よりも低く設定されている場合は、防振兼用連結手段を備えさせたものでありながら、防振兼用連結手段を省略した千鳥間柱間仕切り壁の共振周波数より高い周波数域の音に対して、防振兼用連結手段を省略した千鳥間柱間仕切り壁と変わらない遮音性能を発揮することができる。
【０００９】
即ち、防振兼用連結手段の備えられていない一般的な千鳥間柱間仕切り壁は、空気バネである中空層と壁用面材とによる共振周波数よりも高い周波数域の音に対して飛躍的な遮音性能を発揮することに着目した遮音壁であるが、この共振周波数よりも、防振兼用連結手段で間柱を連結した系の共振周波数の方が低い場合には、そのような防振兼用連結手段で間柱を連結しても、中空層と壁用面材とによる共振周波数よりも高い周波数域の音に対して、防振兼用連結手段の備えられていない一般的な千鳥間柱間仕切り壁と遜色のない遮音性能を発揮することができるのである。
【発明の効果】
【００１０】
本発明は、以上のとおりのものであるから、遮音性能を維持しながら、壁の強度を高くすることができ、間柱が反って壁の通りを悪くするなどの問題を解消することができる。
【発明を実施するための最良の形態】
【００１１】
次に、本発明の実施最良形態を図面に基づいて説明する。
【００１２】
図１〜図４に示す実施形態の千鳥間柱間仕切り壁４は、図１及び図２に示すように、防振兼用連結手段５…が備えられている以外は、従来の千鳥間柱間仕切り壁と同様の構造をしている。即ち、複数本の間柱１…が千鳥に配置されて備えられた間仕切り壁パネル２が設置され、該間仕切り壁パネル２の表裏両面に壁用面材３，３が取り付けられ、各間柱１…がいずれか一方の壁用面材３に下地となって接合され、もう一方の壁用面材３とは非接触状態にされている。
【００１３】
そして、防振兼用連結手段５…は、一方の壁用面材３が接合されている間柱１と、もう一方の面材３が接合されている間柱１とを、それらの高さ方向の中間部において連結している。
【００１４】
図３及び図４は、防振兼用連結手段５の具体例を示している。図３は、防振兼用連結手段５が金属製の薄板バネ６からなっていて、該バネ６の形態を同図（イ）〜（ハ）に示すように変更することで、防振兼用連結手段５に備えさせるバネ定数を調整することができる。図４（イ）（ロ）は、防振兼用連結手段５が、各間柱１，１に固着した金属薄板７，７間に防振ゴムなどのゴム状弾性体８を介設し、該ゴム状弾性体８を金属薄板７，７のそれぞれに接合したもので、同図（イ）はゴム状弾性体８を圧縮型とした場合のものであり、同図（ロ）はゴム状弾性体８をせん断型とした場合のものである。また、図４（ハ）は、防振兼用連結手段５としてコイルバネ９を用いた場合のものである。いずれの防振兼用連結手段が採用されてもよいし、その他の防振兼用連結手段が採用されてもよいが、いずれの防振兼用連結手段による場合であっても、遮音性能を維持しながら、壁の強度を高くすることができるものでなければならないことはいうまでもない。
【００１５】
また、防振兼用連結手段５はそのようなものであればよいが、より好ましくは、防振兼用連結手段５で間柱１，１を連結した系の共振周波数を、防振兼用連結手段５を省略した場合の千鳥間柱間仕切り壁の共振周波数よりも低く設定するのがよく、その場合には、間仕切り壁４の強度を高めながら、防振兼用連結手段５の備えられていない従来の千鳥間柱間仕切り壁５４と遜色のない遮音性能を発揮することができる。
【００１６】
上記の千鳥間柱間仕切り壁４では、一方の壁用面材３が接合されている間柱１と、もう一方の壁用面材３が接合されている間柱１とが高さ方向の中間部で連結されているので、その連結作用によって４壁の強度が高められ、間柱１…が反って壁４の通りを悪くするなどの問題を解消することができ、しかも、連結は、防振兼用連結手段５で行われているので、その防振作用によって、一方の室からもう一方の室への連結手段を通じた音等の振動の伝播を抑制することができ、千鳥間柱の間仕切り壁が本来備えている遮音性能を大きく損なわせることがない。特に、上記のような特定条件下では、防振兼用連結手段５の備えられていない従来の千鳥間柱間仕切り壁５４と遜色のない遮音性能を発揮することができる。
【００１７】
以上に、本発明の実施形態を示したが、本発明はこれに限られるものではなく、発明思想を逸脱しない範囲で各種の変更が可能である。例えば、上記の実施形態では、千鳥間柱１…の設置のための間仕切り壁パネル２を用いた場合を示しているが、このようなパネル式によらない千鳥間柱間仕切り壁として構成されたものであってもよい。
【図面の簡単な説明】
【００１８】
【図１】実施形態の間仕切り壁を示す断面平面図である。
【図２】同壁を形成するために用いられる間仕切り壁パネルを示す斜視図である。
【図３】図（イ）〜図（ハ）はそれぞれ、防振兼用連結手段の具体例を示す断面平面図である。
【図４】図（イ）〜図（ハ）はそれぞれ、防振兼用連結手段の他の具体例を示す断面平面図である。
【図５】従来例を示すもので、図（イ）は間仕切り壁の断面平面図、図（ロ）は断面側面図、図（ハ）は間柱の反りの例を示す断面側面図である。
【符号の説明】
【００１９】
１…千鳥間柱
３…壁用面材
４…間仕切り壁
５…防振兼用連結手段
【図１】
2005105634.tif 000003
【図２】
2005105634.tif 000004
【図３】
2005105634.tif 000005
【図４】
2005105634.tif 000006
【図５】
2005105634.tif 000007